(57)【要約】【課題】例えば川魚が鵜を避けて上流に逃れるときに鵜自身の上流への遡上を阻止して川魚のみを遡上させ、河川上流の浅瀬等でそれらを捕獲できるようにし、また鵜による川魚の被害を低コストで効果的に防止でき、川魚漁に損害が蒙ることが無いようにする。【解決手段】例えば河川の水底Ｕに設置した長尺平行な一対の重量棒による台座部２と、該台座部２それぞれに立設した左右一対の支柱３と、該支柱３相互間の上下に横架した上枠４、下枠５それぞれと、左右の支柱３、上枠４、下枠５それぞれによって、水面下で張設配置した網体６とを備える。網体６は、川魚等の被捕獲魚Ｑは通過可能とし、鵜Ｐは通過不可能となる編目サイズを有する。また、網体６上端は、水面下２０〜３０ｃｍ位まで達する程度の高さを備えたものとする。【選択図】図１
0003128776.tif 000002
【実用新案登録請求の範囲】
【請求項１】
水底に設置される長尺平行な一対の重量棒による台座部と、該台座部それぞれに立設された支柱と、該支柱相互間の上下に横架された上枠、下枠それぞれと、両支柱、上枠、下枠それぞれによって水面下で張設配置される網体とを備え、網体は、被捕獲魚は通過可能とし、鵜は通過不可能となる編目サイズを有することを特徴とする魚漁に使用される鵜阻止用網具。
【請求項２】
網体上端は、水面下２０〜３０ｃｍ位まで達する程度の高さを備えた請求項１記載の魚漁に使用される鵜阻止用網具。
【考案の詳細な説明】
【技術分野】
【０００１】
本考案は、例えば河川、湖沼等において鮎・鮒等の川魚漁を行うとき、鵜が川に潜って水面下の川魚を鵜自身が捕獲しようとする際、川魚が鵜を避けて上流に逃れるようにするときに鵜自身の上流への遡上を阻止して川魚のみを移動遡上させ、上流の浅瀬等の適当な場所でそれらを捕獲できるようにするのであり、主として河川、湖沼等においての魚漁に使用されるようにした鵜阻止用網具に関する。
【背景技術】
【０００２】
従来から、漁師が例えば河川、湖沼等で鮎・鮒等の川魚漁を行う場合には、川魚が産卵等のために河川上流の浅瀬に上ってきたところで、例えば網や吊り具等で捕獲する。このとき、河川上流に辿り着く前に、河川水面にいる鵜は水面下約２０〜３０ｃｍ程度まで潜って、これらの川魚を捕獲しようとする。これから逃れるために川魚は極力水面に出るのを避けて水底の岩場の隙間を這って河川上流に上って行くのである。また、従来では、このような鵜による川魚の被害を防止するために、水底に立設した支柱を介して、特に浅瀬における河川水面に沿って鵜が潜れないようなネットを所々に張るような工夫がなされていた。
【特許文献１】特になし
【考案の開示】
【考案が解決しようとする課題】
【０００３】
しかしながら、従来のように河川の浅瀬における水面の所々にネットを張るのでは、設置面積が広すぎるため、鵜による川魚被害を防止するのにあまり効果的なものではなかった。
【０００４】
そこで、本考案は叙上のような従来存した諸事情に鑑み創案されたもので、河川、湖沼等で川魚漁を行うときに、鵜による川魚等の被捕獲魚の追い込み等に際し、被捕獲魚に対する被害を低コストで効果的に防止できるように、川魚等が鵜を避けて上流等の捕獲を予定する場所等に逃れるときに鵜自身の上流への遡上を阻止して川魚等のみを遡上させるのであり、河川上流の浅瀬での川魚漁に損害が蒙ることが無いようにした魚漁に使用される鵜阻止用網具を提供することを目的とする。
【課題を解決するための手段】
【０００５】
上述した課題を解決するため、本考案にあっては、水底Ｕに設置される長尺平行な一対の重量棒による台座部２と、該台座部２それぞれに立設された支柱３と、該支柱３相互間の上下に横架された上枠４、下枠５それぞれと、両支柱３、上枠４、下枠５それぞれによって、水面Ｓ下で張設配置される網体６とを備え、網体６は、川魚等の被捕獲魚Ｑは通過可能とし、鵜Ｐは通過不可能となる編目サイズを有するものとする。
また、網体６上端は、水面Ｓ下２０〜３０ｃｍ位まで達する程度の高さを備えたものとできる。
【０００６】
以上のように構成された本考案に係る魚漁に使用される鵜阻止用網具にあって、河川、湖沼等における漁漁に際し、その捕獲場所に設置されることで、網体６は、台座部２が水底Ｕに例えば川の流れに沿って設置された際に、水面Ｓ下で川の流れに対しほぼ直交して張設配置される。
このとき、重量棒による台座部２は、網体６に対するスタンド脚としての役割と同時に、台座部２自体は人力で移動可能でありながらも自然の川の流れでは簡単に移動できないような錘としての役割を果たす。
また、網体６は、これ自体の編み目サイズにより、川魚等の被捕獲魚Ｑは通過可能とさせ、鵜Ｐは通過不可能とさせるから、鵜Ｐの遡上は阻止させて被捕獲魚Ｑのみを河川であればその上流の例えば浅瀬、湖沼等であれば陸地に近い浅瀬に追い込ませ、その浅瀬等で被捕獲魚Ｑを捕獲させる。
【考案の効果】
【０００７】
本考案によれば、河川、湖沼等の川魚等の被捕獲魚Ｑの捕獲場所において、被捕獲魚Ｑが鵜Ｐを避けて例えば河川の上流等に逃れるときに鵜Ｐ自身の上流への遡上移動を阻止して被捕獲魚Ｑのみを遡上移動させることができ、鵜Ｐによる被捕獲魚Ｑに対する追込みによって上流での被捕獲魚Ｑの捕獲を可能にする。また鵜Ｐによる被捕獲魚Ｑの被害を低コストで効果的に防止でき、例えば河川上流の浅瀬、湖沼の陸地に近い浅瀬等で被捕獲魚Ｑを簡単に捕獲でき、また魚漁に損害が蒙ることが無いようにすることができる。
【０００８】
すなわち、これは本考案が、水面Ｓ下で張設配置される網体６が被捕獲魚Ｑは通過可能とし、鵜Ｐは通過不可能となる編目サイズを有するものとしたからであり、これにより、被捕獲魚Ｑは鵜Ｐの攻撃から逃れることができ、鵜Ｐの被捕獲魚Ｑに対する追込みを利用して、浅瀬等の捕獲場所で被捕獲魚Ｑを捕獲でき、しかも鵜Ｐによる被捕獲魚Ｑに対する被害を最小限に食い止めることができる。
【０００９】
また、網体６上端は、水面Ｓ下２０〜３０ｃｍ位まで達する程度の高さを備えたので、河川、湖沼等の水面Ｓにいる鵜Ｐが水面Ｓ下約２０〜３０ｃｍ程度まで潜って、これらの被捕獲魚Ｑを捕獲しようとしても、被捕獲魚Ｑは水面Ｓに出るのを避けながら網体６を通り抜けて河川上流等の浅瀬等に上って行くことができる。
【００１０】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１１】
以下、図面を参照して本考案を実施するための最良の一形態を説明する。図において示される符号１は、本考案に係る鵜Ｐの遡上を阻止するための網具本体であり、該網具本体１は、図１に示すように、例えば長さが約２〜３ｍ程度の例えば鉄製等の長尺平行な一対の重量棒による台座部２を備え、該台座部２の例えば中央部分それぞれには河川、湖沼等における捕獲場所の深さに対応して例えば長さが約１〜１．５ｍ程度の支柱３が熱溶接等によって立設されている。
【００１２】
そして、両支柱３の上側同士には上枠４が横架され、該上枠４両端をそれぞれ熱溶接等で固着すると共に、両支柱３の下側同士には下枠５が横架され、該下枠５両端をそれぞれ熱溶接等で固着してある。このとき、上下両枠４，５の長さすなわち両台座部２同士の間隔は、河川、湖沼等の浅瀬部分における幅員、あるいは囲み区域等の幅員に対応して適宜の寸法に設定される。こうして、網具本体１は平面側から見て略Ｈ形状となり、また、左右の支柱３と、上下両枠４，５とによって構成された矩形状の枠が両台座部２に対して垂直衝立状に配置された状態となる。
【００１３】
尚、台座部２の幅員すなわち上下枠４，５の長さは、設置すべき河川、湖沼における捕獲場所である浅瀬等への鵜Ｐの遡上移動を阻止する幅員に対応している。ただ、その阻止幅が河川幅全体、あるいは捕獲場所の囲い幅の長さ全体等にわたるとき、それを１個の網体６で構成するには適当ではないから、通常は分割した幅員とされる。そのため、例えば図３に示すように、河川での遡上を阻止する阻止箇所の幅員に対応して複数にして並置されるよう、例えば１ｍ前後の幅員とされる。このように適当な幅員のものとして分割構成されることで、河川における川幅方向あるいは湖沼における囲い場所の周囲に沿っての設置、移動、撤去、保管その他に際し、面倒でなくなり、取扱いも容易となる。
【００１４】
また、左右の支柱３相互間において、上下に横架された上枠４、下枠５それぞれには、被捕獲魚Ｑは通過可能であるも、鵜Ｐは通過不可能となる編目サイズを有する略矩形メッシュ状の網体６の上辺部分および下辺部分が若干折り返された状態で縫着等で固定されている。すなわち、網体６は左右の支柱３、上枠４、下枠５それぞれによって囲まれた矩形面内において張設されている。
【００１５】
そして、使用に際し、台座部２が水底Ｕにおいて例えば河川の流れ等に沿って設置された際には、網体６は水面Ｓ下で河川の流れに対し例えばほぼ直交して配置されるようにしてある。尚、網体６の素材は、本考案を限定するものではなく、通常の縫製用として使用される太目で丈夫な糸材の他に、合成樹脂繊維製の糸材等の種々の素材を用いても良いことは勿論である。
【００１６】
次に、以上のように構成された最良の形態についての使用、動作の一例について説明する。先ず、図２に示すように、例えば流れがある河川で使用する場合、網具本体１を河川の川幅に沿って鵜Ｐの遡上を阻止する阻止箇所で、例えば３つの複数にして並列に隣接するように川底である水底Ｕに配置する。また、河川の流れに沿っては、これら３つ１組の網具本体１が約１０〜２０ｍ程度の間隔をおいて段階的に配置する。このとき、台座部２である重量棒の長手方向を河川の流れに沿って設置する。このため、網体６は水面Ｓ下で河川の流れに対しほぼ直交して、しかも台座部２自体の錘作用により安定した姿勢で張設配置された状態となる。また、網体６上端は河川等の水面Ｓ下２０〜３０ｃｍ位まで達するように配置される。
【００１７】
そして、図３に示すように、河川水面Ｓにいる鵜Ｐが水面Ｓ下約２０〜３０ｃｍ程度まで潜って、鮎や鮒等の被捕獲魚Ｑを捕獲しようとした際には、被捕獲魚Ｑは水面Ｓに出るのを避けながら網体６の編み目を何等の障害も無くスムーズに通り抜けて河川上流に上って行く。一方、鵜Ｐは網体６の編み目サイズよりも身体が大きいため、当該網体６を通り抜けられずに移動が止められてしまう。これによって鵜Ｐは被捕獲魚Ｑの捕獲のチャンスを逃してしまうのである。こうして被捕獲魚Ｑは鵜Ｐの攻撃から逃れることができるため、鵜Ｐの被捕獲魚Ｑに対する追込みによって被捕獲魚Ｑを上流等で捕獲させ、また鵜Ｐによる被捕獲魚Ｑの被害を最小限に食い止めることができる。
【００１８】
尚、流れがある河川においての使用のみならず、池、沼、湖等の湖沼においても同様に使用できる。この場合には、例えば陸地に近い浅瀬等に被捕獲魚Ｑが追い込まれるように、その捕獲場所を囲むようにして必要があれば二重、三重等にして配置する。そして、捕獲場所の周囲から鵜Ｐによって被捕獲魚Ｑを追い立てるようにして捕獲場所に集めさせれば良い。
【図面の簡単な説明】
【００１９】
【図１】本考案を実施するための最良の形態における一部を拡大した鵜阻止用網具の一例を示す斜視図である。
【図２】同じく複数の鵜阻止用網具の例えば河川で使用した場合の配置状態を示す平面図である。
【図３】同じく使用状態にあって、被捕獲魚と鵜の動きを説明するための概略側面図である。
【符号の説明】
【００２０】
Ｐ…鵜                                  Ｑ…被捕獲魚
Ｓ…水面                                Ｕ…水底
１…網具本体                            ２…台座部
３…支柱                                ４…上枠
５…下枠                                ６…網体
【図１】
0003128776.tif 000003
【図２】
0003128776.tif 000004
【図３】
0003128776.tif 000005